(57)【特許請求の範囲】
【請求項１】
管体と軟質のチューブとを接続するアダプタであって、
前記管体を左側に、前記チューブを右側に配置した場合、
フランジが形成され、前記チューブ側になる右端が前記チューブの端部に圧入される管状挿入体と、
該管状挿入体の右端とフランジ間の位置で、管状挿入体に回動自在でかつ管状挿入体の延びる左右方向に移動自在に外挿され、前記フランジを内挿可能で、前記管体の端部に嵌合可能な嵌合部を有するとともに、前記チューブ側になる右端の内側に前記フランジに当接するストッパ部が径方向内側に向けて突出形成された外筒部と、を備え、
前記管状挿入体に、管状挿入体の右端の外径よりも大きい外径であって左右の長さが前記ストッパ部の左右の長さよりも長い拡径部を段差的に設け、前記チューブの端部に対して前記管状挿入体をその右端から少なくとも前記拡径部を含め前記拡径部まで圧入させ、しかも前記外筒部の右端内側に形成された前記ストッパ部の内周面を前記拡径部外周のチューブに弾接させ前記チューブの外表面を内方に凹ませることで段差を生じさせ、前記段差により外筒部の右側移動を規制したことを特徴にするアダプタ。
【請求項２】
前記拡径部を、前記管状挿入体に形成されたフランジの右端位置に設けたことを特徴にする請求項１に記載のアダプタ。
【請求項３】
管体と軟質のチューブとを接続するアダプタであって、
前記管体を左側に、前記チューブを右側に配置した場合、
フランジが形成され、前記チューブ側になる右端が前記チューブの端部に圧入される管状挿入体と、
該管状挿入体の右端とフランジ間の位置で、管状挿入体に回動自在でかつ管状挿入体の延びる左右方向に移動自在に外挿され、前記フランジを内挿可能で、前記管体の端部に嵌合可能な嵌合部を有するとともに、前記チューブ側になる右端の内側に前記フランジに当接するストッパ部が径方向内側に向けて突出形成された外筒部と、を備え、
前記管状挿入体に、管状挿入体に形成されたフランジの右端位置から前記ストッパ部の左右の長さよりも広い間隔をおいて、管状挿入体の右端の外径よりも大きい外径の拡径部を段差的に設けるとともに前記間隔の範囲では段差的に外径を前記拡径部の外径よりも小さくし、前記チューブの端部に対して前記管状挿入体をその右端から前記拡径部を介して前記間隔を含め前記間隔まで圧入させ、しかも前記外筒部の右端内側に形成された前記ストッパ部の内周面の右端角部を前記間隔をとった部位外周のチューブに弾接させ前記チューブの外表面を内方に凹ませて、外筒部の右側移動を規制したことを特徴にするアダプタ。
【請求項４】
前記外筒部の右端内側に設けられた孔の径を、前記チューブの肉厚を２倍した値に前記拡径部の外径を加算した値より小さくしたことを特徴にする請求項１乃至３のうちいずれか一つに記載のアダプタ。
【請求項５】
前記外筒部の嵌合部は、その内側に形成された螺子であり、前記管体の端部に形成された螺子に螺合することによって管体と嵌合することを特徴にする請求項１乃至４のうちいずれか一つに記載のアダプタ。
【請求項６】
前記管状挿入体の前記管体側になる左端の管状挿入部は、テーパー状に先細でその先端が前記管体の端部から内側に挿入され、前記テーパー状の管状挿入部で前記管体の前記左右の移動を規制することを特徴にする請求項１乃至５のうちいずれか一つに記載のアダプタ。
【請求項７】
前記管体には、前記チューブとは別のチューブの端部が接続されていることを特徴にする請求項１乃至６のうちいずれか一つに記載のアダプタ。
【請求項８】
前記チューブは血液回路や輸液回路を構成し、医療用器具として使用されることを特徴にする請求項１乃至７のうちいずれか一つに記載のアダプタ。
【請求項９】
滅菌のために全体が熱処理されることを特徴にする請求項１乃至８のうちいずれか一つに記載のアダプタ。
【発明の詳細な説明】
【技術分野】
【０００１】
本発明は、例えば、血液透析療法や輸液・輸血療法で血液や薬液の回路（ライン）の構成時に使用されるチューブ同士、あるいはチューブと管状パイプ等の管体とを接続するためのアダプタに関するものである。
【背景技術】
【０００２】
医療用器具として血液透析療法において使用される「血液回路」や、輸液・輸血療法において使用される「輸液・輸血セット」は、チューブのような管体（管状部材）で構成されている。
そして、各種療法によっては、「血液回路」や「輸液・輸血セット」と「他の器具」をチューブを介して接続したり、あるいは、「血液回路」や「輸液・輸血セット」の長さが足りない場合に、延長チューブを接続したりすることが行われ、接続位置にアダプタが備えられている。
【０００３】
アダプタには、様々の種類があるが、その中の一つに、いわゆる、「フリーロックアダプタ」がある。「フリーロックアダプタ」は、螺子接続部を有する雄型と雌型のアダプタで、両アダプタを嵌合させた後、雄型アダプタに外挿されているフリーロックアダプタを雌型アダプタの端部に螺合させることによって両者を連通した状態で接続し使用するものである。
【０００４】
このような、「フリーロックアダプタ」は、図９乃至図１２に示すように、血液透析用の血液回路に使用され、透析用穿刺針側の雌型アダプタ１０と血液回路側の雄型アダプタ２０を有している。
雄型アダプタ２０は、オスルアー付きアダプタ部品２１とフリーロック部品２２からなる。
【０００５】
オスルアー付きアダプタ部品２１は、オスルアーを構成する部位が管状挿入体で略中央にフランジ２１ａが形成されたものであり、フランジ２１ａよりも左側に管状挿入部２１ｂが形成され、フランジ２１ａよりも右側に管状挿入部２１ｃが形成されている。
【０００６】
フランジ２１ａから左側に延びる管状挿入部２１ｂは、左端の延出部１０ａに、ポリ塩化ビニル製やゴム製等軟質のチューブ１００が接続された管体（管状体）の雌型アダプタ１０の右端に形成されたメスルアー部１０ｂの端部から左側に挿入されるようになっている。また、雌型アダプタ１０のメスルアー部１０ｂの外周端部には螺子１０ｃが形成され、左端側の延出部１０ａと右端側のメスルアー部１０ｂの間には、把持用の翼部１０ｄが突設されている。一方、フランジ２１ａから右側に延びる管状挿入部２１ｃは、塩化ビニルやゴム製等軟質のチューブ２００の端部から右側に挿入されるようになっている。
管状挿入部２１ｂは、少なくとも表面がテーパー状で先細に形成され、その左側先端がメスルアー部１０ｂの端部から左側内側に挿入され、テーパー面で雌型アダプタ１０の左右の移動を規制するようになっている。
管状挿入部２１ｃは右端に向けてテーパー状に縮径していて、挿入側の右端の外径Ｙはチューブ２００の内径Ｑと同等もしくはその内径Ｑよりも小さいが、フランジ２１ａ側の外径Ｓはチューブ２００の内径Ｑよりも大きく、その外径Ｓまでチューブ２００に圧入させることによってチューブ２００と管状挿入部２１ｃとを接続するようになっている。
【０００７】
また、フリーロック部品２２は、外筒部であり、管状挿入部２１ｃとフランジ２１ａ間の位置に設けられている。フリーロック部品２２の内径Ｔは、管状挿入部２１ｃの外径Ｙ及びチューブ２００の外径Ｚよりも大きく形成され、管状挿入部２１ｃが圧入されたチューブ２００の外径に対して回動自在でかつ管状挿入部２１ｃの延びる左右方向に移動自在に外挿されている。
さらに、フリーロック部品２２の内径Ｘはフランジ２１ａの外径Ｆよりも大きく、フランジ２１ａを内挿することができる。そして、フリーロック部品２２の内側には、螺子２２ａが形成され、その螺子２２ａと、雌型アダプタ１０のメスルアー部１０ｂの外周端部に形成された螺子１０ｃとを螺合することによって、フリーロック部品２２と雌型アダプタ１０とが嵌合されるようになっている。
また、フリーロック部品２２の右端内側には、内挿されたフランジ２１ａの右端に当接してフランジ２１ａのさらなる後方移動（右側への移動）を規制するストッパ部２２ｂが形成されている。すなわち、フリーロック部品２２の右端内側に形成された孔２２ｃの径Ｔは、フリーロック部品２２の内径Ｘよりも小さく、内径Ｘから孔２２ｃの径Ｔを差し引いた値がストッパ部２２ｂの突出量となっている。
【０００８】
そして、使用する際には、図１０に示すように、雄型アダプタ２０のオスルアー付きアダプタ部品２１のフランジ２１ａより右側に形成された管状挿入部２１ｃを、チューブ２００の端部に圧入して、雄型アダプタ２０とチューブ２００とを接続し、続いて、図１１に示すように、雄型アダプタ２０のオスルアー付きアダプタ部品２１のフランジ２１ａより左側に形成された管状挿入部２１ｂを、チューブ１００が接続された雌型アダプタ１０のメスルアー部１０ｂの端部に挿入し、管状挿入部２１ｂに形成されたテーパー面で雌型アダプタ１０の左右の移動を規制するように接続するとともに、メスルアー部１０ｂと管状挿入部２１ｂの接続が容易に外れないように、フリーロック部品２２を左側に移動させてメスルアー部１０ｂを覆うように外挿させ、フリーロック部品２２の螺子２２ａとメスルアー部１０ｂに形成された螺子１０ｃとを螺合させて雌型アダプタ１０と雄型アダプタ２０とが接続されるようになっている。
【０００９】
また、雌型アダプタと雄型アダプタとの接続方法として、雄型アダプタに相当するアダプタの後部に設けられた複数個の突起部を、雌型アダプタに相当するアダプタに形成された複数個の溝に位相を合致させるように雄型アダプタを回転させて、位相が合致した位置で複数個の突起部をそれぞれ対応する複数個の溝に挿通させた後、さらに雄型アダプタを回転させて溝から突起部が抜けないようにしたものが開示されている（例えば、特許文献１参照）。
【特許文献１】実開昭５９−８７８４０号公報
【発明の開示】
【発明が解決しようとする課題】
【００１０】
しかしながら、従来例（図９乃至図１２）に示したアダプタによれば、図１２に示すように、フリーロック部品２２の右端内側に形成された孔２２ｃの径Ｔは、管状挿入部２１ｃが圧入された後のチューブ２００の外径Ｚａよりも大きいので、フリーロック部品２２と雌型アダプタ１０のメスルアー部１０ｂとの螺合が緩むか、あるいは外れた場合、フリーロック部品２２の移動を制動する機構がないので、フリーロック部品２２は接続されたチューブ２００に対して右側に移動して外れる恐れがあった。このとき、チューブ２００に誤って過度の引張力が加わった場合には、メスルアー部１０ｂと管状挿入部２１ｂの接続が外れたりして医療事故が発生する場合がある。
【００１１】
また、特許文献１に記載の発明によれば、雄型アダプタの後部に設けられた複数個の突起部が、雌型アダプタに形成された複数個の溝に挿通され、両者の位相が合致しない限り抜けることのないようにされているが、雄型アダプタ、あるいは雌型アダプタの回転によって突起部と溝の位相が合致すると簡単に雄型アダプタと雌型アダプタの接続が外れてしまう。
これに対して、溝の大きさよりも突起部の大きさを大きくする等によって、突起部が溝に一旦挿通されると外れないようにすることも可能であるが、雄型アダプタに複数個の突起部を形成したり、雌型アダプタに複数個の突起部に対応させて複数個の溝を形成することは、両者を組み立てる際、突起部と溝の位相を合致させて組み立てる必要性が生じ、製造上煩雑でありコスト高でもある。
【００１２】
そこで本発明の目的とするところは、特に突起部や溝といった複雑な機構を設けることなく、安全かつ確実な接続構造を得ることのできるアダプタを提供することにある。
【課題を解決するための手段】
【００１３】
上記の目的を達成するために、請求項１に係る発明は、管体（１０）と軟質のチューブ（２００）とを接続するアダプタ（３０）であって、
前記管体（１０）を左側に、前記チューブ（２００）を右側に配置した場合、
フランジ（２１ａ）が形成され、前記チューブ（２００）側になる右端が前記チューブ（２００）の端部に圧入される管状挿入体（３１）と、該管状挿入体（３１）の右端とフランジ（２１ａ）間の位置で、管状挿入体（３１）に回動自在でかつ管状挿入体（３１）の延びる左右方向に移動自在に外挿され、前記フランジ（２１ａ）を内挿可能で、前記管体（１０）の端部に嵌合可能な嵌合部（２２ａ）を有するとともに、前記チューブ（２００）側になる右端の内側に前記フランジ（２１ａ）に当接するストッパ部（２２ｂ）が径方向内側に向けて突出形成された外筒部（２２）と、を備え、
前記管状挿入体（３１）に、管状挿入体（３１）の右端の外径（Ｖ）よりも大きい外径（Ｗ）であって左右の長さが前記ストッパ部（２２ｂ）の左右の長さよりも長い拡径部（３３）を段差的に設け、前記チューブ（２００）の端部に対して前記管状挿入体（３１）をその右端から少なくとも前記拡径部（３３）を含め前記拡径部（３３）まで圧入させ、しかも前記外筒部（２２）の右端内側に形成された前記ストッパ部（２２ｂ）の内周面（２２ｄ）を前記拡径部（３３）外周のチューブ（２００）に弾接させ前記チューブ（２００）の外表面を内方に凹ませることで段差（Ｄ）を生じさせ、前記段差（Ｄ）により外筒部（２２）の右側移動を規制したことを特徴にする。
【００１４】
また、請求項２に係る発明は、前記拡径部（３３）を、前記管状挿入体（３１）に形成されたフランジ（２１ａ）の右端位置に設けたことを特徴にする。
【００１５】
さらに、請求項３に係る発明は、管体（１０）と軟質のチューブ（２００）とを接続するアダプタ（３０）であって、
前記管体（１０）を左側に、前記チューブ（２００）を右側に配置した場合、
フランジ（２１ａ）が形成され、前記チューブ（２００）側になる右端が前記チューブ（２００）の端部に圧入される管状挿入体（４１）と、該管状挿入体（４１）の右端とフランジ（２１ａ）間の位置で、管状挿入体（４１）に回動自在でかつ管状挿入体（４１）の延びる左右方向に移動自在に外挿され、前記フランジ（２１ａ）を内挿可能で、前記管体（１０）の端部に嵌合可能な嵌合部（２２ａ）を有するとともに、前記チューブ（２００）側になる右端の内側に前記フランジ（２１ａ）に当接するストッパ部（２２ｂ）が径方向内側に向けて突出形成された外筒部（２２）と、を備え、
前記管状挿入体（４１）に、管状挿入体（４１）に形成されたフランジ（２１ａ）の右端位置から前記ストッパ部（２２ｂ）の左右の長さよりも広い間隔（Ｌ）をおいて、管状挿入体（４１）の右端の外径（Ｖ）よりも大きい外径（Ｗ）の拡径部（４３）を段差的に設けるとともに前記間隔（Ｌ）の範囲では段差的に外径を前記拡径部（４３）の外径（Ｗ）よりも小さくし、前記チューブ（２００）の端部に対して前記管状挿入体（４１）をその右端から前記拡径部（４３）を介して前記間隔（Ｌ）を含め前記間隔（Ｌ）まで圧入させ、しかも前記外筒部（２２）の右端内側に形成された前記ストッパ部（２２ｂ）の内周面（２２ｄ）の右端角部（２２ｅ）を前記間隔（Ｌ）をとった部位外周のチューブ（２００）に弾接させ前記チューブ（２００）の外表面を内方に凹ませて、外筒部（２２）の右側移動を規制したことを特徴にする。
【００１６】
また請求項４に記載の発明は、前記外筒部（２２）の右端内側に設けられた孔（２２ｃ）の径（Ｔ）を、前記チューブ（２００）の肉厚を２倍した値（Ｚ−Ｑ）に前記拡径部（３３，４３）の外径（Ｗ）を加算した値より小さくしたことを特徴にする。
【００１７】
また請求項５に記載の発明は、前記外筒部（２２）の嵌合部は、その内側に形成された螺子（２２ａ）であり、前記管体（１０）の端部に形成された螺子（１０ｃ）に螺合することによって管体（１０）と嵌合することを特徴にする。
【００１８】
また請求項６に記載の発明は、前記管状挿入体（３１，４１）の前記管体（１０）側になる左端の管状挿入部（２１ｂ）は、テーパー状に先細でその先端が前記管体（１０）の端部から内側に挿入され、前記テーパー状の管状挿入部（２１ｂ）で前記管体（１０）の前記左右の移動を規制することを特徴にする。
【００１９】
また請求項７に記載の発明は、前記管体（１０）には、前記チューブ（２００）とは別のチューブ（１００）の端部が接続されていることを特徴にする。
【００２０】
また請求項８に記載の発明は、前記チューブ（２００）は血液回路や輸液回路を構成し、医療用器具として使用されることを特徴にする。
【００２１】
また請求項９に記載の発明は、滅菌のために全体が熱処理されることを特徴にする。
【００２２】
なお、括弧内の記号は、図面及び後述する発明を実施するための最良の形態に記載された対応要素または対応事項を示す。
【発明の効果】
【００２３】
本発明のアダプタは、フランジが形成された管状挿入体と外筒部を備え、軟質のチューブに圧入されることにより管状挿入体がチューブに接続され、管体に例えば螺子等を利用することにより嵌合することにより外筒部が管体に接続される。そして、管状挿入体にその外径よりも大きい外径の拡径部を段差的に設け、チューブに拡径部まで圧入させ、外筒部の内側を拡径部外周のチューブに弾接させることにより、弾接した部位と弾接しない部位との間に段差を生じさせ、摩擦抵抗を高めて外筒部の移動を規制する。
このように、外筒部は管状挿入体に対してそれが延びる左右方向に移動自在であるが、外筒部の内側が拡径部外周のチューブに弾接させられると外筒部はその位置で容易に移動しないように制動されるので、外筒部と管体の接続における螺子等嵌合部の緩みを防止しつつ、チューブと合成樹脂などからなる管体を安全かつ確実に接続することができる。
しかも、従来例で示したように、突起部や溝といった複雑な機構を設ける必要がないので、構造が簡単で特にコスト高になるものではない。
特に、外筒部の内側に設けられた孔の径を、チューブの肉厚を２倍した値に拡径部の外径を加算した値より小さくすることにより、外筒部の内側を拡径部外周のチューブに確実に弾接させることができる。
【００２４】
また拡径部の位置は、管状挿入体に形成されたフランジのチューブ側となる右端位置としてもよいし、フランジの右端位置から間隔をおいた位置にしてもよい。
特に、フランジの右端位置から間隔をおいた位置に拡径部を設け、チューブ端部に対して管状挿入体をその右端から拡径部を介して間隔まで圧入させ、しかも外筒部の右端内側を間隔をとった部位外周のチューブに弾接させた場合には、その間隔をとった部位に被せられたチューブは拡径部から傾斜していて、その傾斜した部分に、外筒部の右端内側の角部が集中して弾接するので、外筒部の位置制動効果は一層高いものが得られる。
【００２５】
また、管状挿入体に形成されたフランジの位置は、管状挿入体の管体側の左端でも、略中央部（厳密に中央を意味するものではなく、端部を除いた部分であればよいことを意味する）でもよいが、フランジの位置を略中央部にして、管状挿入体の管体側の左端をテーパー状に先細でその先端を管体の端部から内側に挿入し、テーパー面で管体の左右の移動を規制することによって、管体は、管状挿入体と嵌合されることに加えて、外筒部とも接続されるので、接続が強化される。
また、この管体と管状挿入体との接続についても、外筒部が拡径部外周のチューブ、あるいは、前記間隔をとった部位外周のチューブに弾接し、その位置で制動されそれ以上右側に移動しないようにされるので、緩みや外れから防止される。
【００２６】
また、管体に別のチューブの端部を接続することによって、管体を介してアダプタで２つのチューブを接続することもできる。
【００２７】
さらに、本発明のアダプタは、例えば、水道等、液体流路の接続や、エアー等、気体流路の接続に適用することができるが、チューブを血液回路や輸液回路として構成した医療用器具として使用する場合に、接続部の外れによる医療事故を未然に防止することができるので有効である。
また、医療用器具のように、滅菌のために全体が熱処理される場合には、外筒部の内側が、拡径部外周のチューブ、あるいは、前記間隔をとった部位外周のチューブに弾接した状態で、熱負荷をかけることができ、その場合、外筒部の内側が弾接する部位だけが更に縮径するので、外筒部の位置制動効果が一層強く得られる。
【発明を実施するための最良の形態】
【００２８】
（第１実施形態）
図１乃至図５を参照して、本発明の第１実施形態に係るアダプタについて説明する。なお、従来例（図９乃至図１２）と同一部分には同一符号を付した。
このアダプタは、医療用器具に適用した例を示したものであり、左側に位置する管体である透析用穿刺針側の雌型アダプタ１０と右側に位置し血液透析用の血液回路や輸液回路に使用される軟質のチューブ２００とを接続する雄型アダプタ３０であり、オスルアー付きアダプタ部品３１とフリーロック部品２２からなる。雌型アダプタ１０及び雄型アダプタ３０は、ポリプロピレン、ポリカーボネート等の合成樹脂など硬質部材からなる。
【００２９】
オスルアー付きアダプタ部品３１は、オスルアーを構成する部位が管状挿入体で略中央にフランジ２１ａが形成されたものであり、フランジ２１ａよりも左側に、フランジ２１ａの外径Ｆよりも小径の管状挿入部２１ｂが形成され、フランジ２１ａよりも右側に、同じくフランジ２１ａの外径Ｆよりも小径の管状挿入部３２が形成されている。なお、管状挿入部２１ｂ，管状挿入部３２の径は、フリーロック部品２２の内径Ｘより小径であればよい。また、管状挿入部２１ｂの径は、フランジ２１ａの外径Ｆより小さくない態様であってもよい。なお、管状挿入部２１ｂと管状挿入部３２からなる管状挿入体に対するフランジ２１ａの位置は、管状挿入部２１ｂと管状挿入部３２の間にあればよく、前記略中央とは真中を意味するものではない。また、フランジ２１ａ，管状挿入部２１ｂ，管状挿入部３２からなるオスルアー付きアダプタ部品３１は、一体型の成品であっても別体型の成品であってもよい。
【００３０】
フランジ２１ａから左側に延びる管状挿入部２１ｂは、管体（管状体）の雌型アダプタ１０の右端に形成されたメスルアー部１０ｂの端部から左側に挿入されるようになっている。雌型アダプタ１０の左端には左側に延びる延出部１０ａが設けられ、延出部１０ａに、ポリ塩化ビニル製やゴム製等軟質のチューブ１００が接続されている。また、雌型アダプタ１０のメスルアー部１０ｂの外周端部には螺子１０ｃが形成され、左端側の延出部１０ａと右端側のメスルアー部１０ｂの間には、把持用の翼部１０ｄが突設されている。
【００３１】
一方、フランジ２１ａから右側に延びる管状挿入部３２は、ポリ塩化ビニルやゴム製等軟質のチューブ２００の端部から右側に挿入されるようになっている。
【００３２】
管状挿入部２１ｂは、少なくとも表面がテーパー状で先細に形成され、その左側先端がメスルアー部１０ｂの端部から左側内側に挿入され、テーパー面で雌型アダプタ１０の左右の移動を規制するようになっている。なお、メスルアー部１０ｂ内に形成された流路の形状をテーパー状で先細に形成し、メスルアー部１０ｂの端部から左側内側に挿入される管状挿入部２１ｂをテーパー面で受け止め、雌型アダプタ１０の左右の移動を規制するようにしてもよい。
【００３３】
管状挿入部３２には、管状挿入部３２の右端の外径Ｖよりも大きい外径Ｗの拡径部３３が段差的に設けられている。すなわち、管状挿入部３２は、外径がＶの管状でありその左端にはテーパー状の外周面３４を介して外径Ｖよりも大きい外径Ｗの拡径部３３が中心軸を同軸にした状態で形成されている。そして、拡径部３３の左端がフランジ２１ａの右端に接するように形成されている。
管状挿入部３２の外径Ｖはチューブ２００の内径Ｑよりも小さく、チューブ２００の端部から容易に挿入できるようになっている。なお、管状挿入部３２の外径Ｖは、チューブ２００の端部から容易に挿入できる程度であれば、チューブ２００の内径Ｑと同等であってもよい。
【００３４】
また、拡径部３３の外径Ｗは、フリーロック部品２２の右端内側に設けられた孔２２ｃの径Ｔが、チューブ２００の肉厚Ｐを２倍した値（チューブ２００の外径Ｚから内径Ｑを減算した値）にその拡径部３３の外径Ｗを加算した値Ｚｂより小さくなる値に設定されている。
そして、チューブ２００を、管状挿入部３２の右端から拡径部３３まで圧入させることによってオスルアー付きアダプタ部品３１とチューブ２００とを接続するようになっている。
【００３５】
また、フリーロック部品２２は、外筒部であり、管状挿入部３２とフランジ２１ａ間の位置に設けられている。フリーロック部品２２の内径Ｔは、管状挿入部３２の外径Ｖ及びチューブ２００の外径Ｚよりも大きく形成され、管状挿入部３２が圧入されたチューブ２００の外径に対して回動自在でかつ管状挿入部３２の延びる左右方向に移動自在に外挿されている。
さらに、フリーロック部品２２の内径Ｘはフランジ２１ａの外径Ｆよりも大きく、フランジ２１ａを内挿することができる。そして、フリーロック部品２２の内側には、螺子２２ａが形成され、その螺子２２ａと、雌型アダプタ１０のメスルアー部１０ｂの外周端部に形成された螺子１０ｃとが螺合することによって、フリーロック部品２２と雌型アダプタ１０とが嵌合されるようになっている。
また、フリーロック部品２２の右端内側には、内挿されたフランジ２１ａの右端に当接してフランジ２１ａのさらなる後方移動（右側への移動）を規制するストッパ部２２ｂが形成されている。すなわち、フリーロック部品２２の右端内側に形成された孔２２ｃの径Ｔは、フリーロック部品２２の内径Ｘよりも小さく、内径Ｘから孔２２ｃの径Ｔを差し引いた値がストッパ部２２ｂの突出量となっている。なお、ストッパ部２２ｂの位置はこの位置に限定されるものではなく、フリーロック部品２２の内側に設けられ、フランジ２１ａに当接してさらなる後方移動（右側への移動）を規制するものであればよい。
【００３６】
そして、このアダプタを製造するには、雄型アダプタ３０のオスルアー付きアダプタ部品３１のフランジ２１ａより右側に形成された管状挿入部３２を、管状挿入部３２の右端から拡径部３３までチューブ２００の端部に圧入して、雄型アダプタ３０とチューブ２００とを接続する。これにより、チューブ２００は、図５に示すように、拡径部３３の外周に被せられ接続される。また、チューブ２００は管状挿入部３２に対して接着剤を介して接続してもよい。このとき、チューブ２００の左端は、図５に示すように、フランジ２１ａの右端に接するようにしても、完全には接しないようにしてもよい。
【００３７】
次に、フリーロック部品２２の左側から、チューブ２００の右側に位置する開放端側を挿入する。なお、予めフリーロック部品２２にチューブ２００を貫通させておき、そのチューブ２００の左端に、オスルアー付きアダプタ部品３１の管状挿入部３２を右端から拡径部３３まで圧入するようにしてもよい。
【００３８】
そして、図２に示すように、オスルアー付きアダプタ部品３１のフランジ２１ａの右端がフリーロック部品２２の右端内側に形成されたストッパ部２２ｂが当接するまで、オスルアー付きアダプタ部品３１に対してフリーロック部品２２を左側に移動させる。
【００３９】
このとき、フリーロック部品２２の右端内側に設けられた孔２２ｃの径Ｔは、チューブ２００の肉厚Ｐを２倍した値（チューブ２００の外径Ｚから内径Ｑを減算した値）にその拡径部３３の外径Ｗを加算した値Ｚｂよりも小さく設定してあるので、図４に示すように、フリーロック部品２２の右端内側、すなわち、側面にストッパ部２２ｂが形成されてなる孔２２ｃの内周面２２ｄが拡径部３３の外周に被せられたチューブ２００の外表面に弾接する。これにより、フリーロック部品２２の右端内側の内周面２２ｄが弾接する、拡径部３３に被せられたチューブ２００の部位には応力負荷がかかり外表面は内方に凹むので、隣接する、フリーロック部品２２の右端内側の内周面２２ｄが弾接しない、拡径部３３に被せられたチューブ２００の部位との間に段差Ｄが生じる。
このように生じた段差Ｄによって、フリーロック部品２２は右側に後退しないようにその位置に制動がかけられる。段差Ｄのはたらきによって、フリーロック部品２２は通常の力が作用することにより制動位置から容易に右側に後退しないようにされるが、ユーザが摩擦抵抗に逆らって過度の力を加えることにより、その制動位置から右側に強制的に移動することができ、また、その制動位置で回動することができるようにされている。
【００４０】
その後、チューブ２００に接続された雄型アダプタ３０は、フリーロック部品２２の位置に制動がかけられた状態で滅菌工程が施される。滅菌工程には、蒸気滅菌、ガス滅菌などの方法がある。本アダプタは、滅菌工程において、約６０〜１３０℃（度）の雰囲気下に約２０分から約１２時間程度の範囲で曝露される。
滅菌工程によれば、フリーロック部品２２の右端内側の内周面２２ｄが、拡径部３３に被せられたチューブ２００の外表面に弾接した状態で、熱負荷がかけられるので、内周面２２ｄが弾接する部位だけが更に縮径する。
これによれば、フリーロック部品２２の位置制動効果が一層強く得られる。
【００４１】
このようにチューブ２００が接続された雄型アダプタ３０を雌型アダプタ１０に接続する際には、図３に示すように、雄型アダプタ３０のオスルアー付きアダプタ部品３１のフランジ２１ａより左側に形成された管状挿入部２１ｂを、チューブ１００が接続された雌型アダプタ１０のメスルアー部１０ｂの端部に挿入し、管状挿入部２１ｂに形成されたテーパー面で雌型アダプタ１０の左右の移動を規制するように接続するとともに、メスルアー部１０ｂと管状挿入部２１ｂの接続が容易に外れないように、フリーロック部品２２の螺子２２ａとメスルアー部１０ｂに形成された螺子１０ｃとを螺合させて雌型アダプタ１０と雄型アダプタ３０とを接続する。このとき、フリーロック部品２２はメスルアー部１０ｂを覆うように外挿されている。なお、フリーロック部品２２の螺子２２ａとメスルアー部１０ｂの螺子１０ｃとの螺合は、フリーロック部品２２側を回動させても、メスルアー部１０ｂ側を回動させてもよい。また、フリーロック部品２２を制動位置から右側に外した位置に移動させておいて、メスルアー部１０ｂと管状挿入部２１ｂを接続した後に、フリーロック部品２２を右側から制動位置まで移動させながら、同時にフリーロック部品２２を回動させてフリーロック部品２２の螺子２２ａをメスルアー部１０ｂの螺子１０ｃに螺合するようにしてもよい。
【００４２】
以上のように構成された雄型アダプタ３０によれば、雄型アダプタ３０のフリーロック部品２２について位置制動効果が得られるので、フリーロック部品２２と雌型アダプタ１０のメスルアー部１０ｂとの螺合が緩み難く、あるいは外れ難いため、フリーロック部品２２は容易に制動位置から右側に移動することはなく、医療事故を未然に防止することができる。
【００４３】
（第２実施形態）
次に、図６及び図７を参照して、本発明の第２実施形態に係るアダプタについて説明する。
このアダプタは、第１実施形態の雄型アダプタ３０と同様に、雌型アダプタ１０と軟質のチューブ２００とを接続する雄型アダプタ４０であり、オスルアー付きアダプタ部品４１とフリーロック部品２２からなる。第２実施形態の雄型アダプタ４０は、第１実施形態の雄型アダプタ３０とは、オスルアー付きアダプタ部品４１のフランジ２１ａよりも右側に構成される管状挿入部４２の形状が異なる。その他は、第１実施形態と同様であるので説明を省略する。
【００４４】
すなわち、第１実施形態では、管状挿入部３２において、拡径部３３をフランジ２１ａの右端位置に設けたものであるが、第２実施形態では、管状挿入部４２において、拡径部４３をフランジ２１ａの右端位置から間隔Ｌをおいて段差的に設けたものである。よって、拡径部４３の外径Ｗは、管状挿入部４２の右端及び左端の外径Ｖよりも大きい。なお、拡径部４３の右側と左側にはテーパー状の外周面４４，４５が設けられている。
【００４５】
そして、図７に示すように、チューブ２００の左端部に対して管状挿入部４２をその右端から拡径部４３を介してフランジ２１ａの右端または右端近傍まで圧入させ、次に、図６に示すように、フリーロック部品２２の右端内側に形成した孔２２ｃの内周面２２ｄを間隔Ｌをとった部位に位置させ、その部位に被せられたチューブ２００に弾接させることによりフリーロック部品２２の位置を制動して右側移動を規制したものであります。
【００４６】
これによれば、フランジ２１ａから間隔Ｌをとった部位に被せられたチューブ２００は拡径部４３から傾斜していて、その傾斜した部分に、フリーロック部品２２の右端内側の内周面２２ｄの角部２２ｅが集中して弾接しチューブ２００の外表面を内方に凹ませるので、フリーロック部２２の位置制動効果として一層高いものが得られる。
【００４７】
（第３実施形態）
次に、図８を参照して、本発明の第３実施形態に係るアダプタについて説明する。
このアダプタは、第１実施形態の雄型アダプタ３０と同様に、雌型アダプタ１０と軟質のチューブ２００とを接続する雄型アダプタ５０であり、オスルアー付きアダプタ部品５１とフリーロック部品２２からなる。第３実施形態の雄型アダプタ５０は、オスルアー付きアダプタ部品５１のフランジ２１ａよりも左側には、第１実施形態の管状挿入部２１ｂのような管状挿入部を設けない点で、第１実施形態の雄型アダプタ２０とは異なる。その他は、第１実施形態と同様であるので説明を省略する。
【００４８】
すなわち、第３実施形態では、オスルアー付きアダプタ部品５１において、雌型アダプタ１０のメスルアー部１０ｂの端部に挿入されるような管状挿入部は設けられてなく、雄型アダプタ５０と雌型アダプタ１０とを接続する場合には、フリーロック部品２２の螺子２２ａとメスルアー部１０ｂに形成された螺子１０ｃとを螺合させるだけで行うようになっている。
この場合、フリーロック部品２２の螺子２２ａとメスルアー部１０ｂの螺子１０ｃとの螺合の箇所と、チューブ２００とフリーロック部品２２との弾接の箇所には、十分なシールが施されていて液体漏れがないようにしてある。
【００４９】
なお、第１乃至第３の実施形態では、アダプタ３０，４０，５０を医療用器具に適用した例を示したが、用途や大きさはこれに限定されるものではなく、例えば、水道等、液体流路の接続や、エアー等、気体流路の接続に適用することができる。
また、フリーロック部品２２とメスルアー部１０ｂとの嵌合を螺子を使用し螺合させることによって行ったが、フリーロック部品２２とメスルアー部１０ｂとが嵌合すれば方式は限定されるものではなく、例えば、凹凸部をもって両者がワンタッチで嵌合する機構を有するものであってもよい。
【図面の簡単な説明】
【００５０】
【図１】本発明の第１実施形態に係るアダプタを分解して示す断面図である。
【図２】図１に示すアダプタの接続過程を示す部分断面図である。
【図３】図１に示すアダプタの接続状態を示す部分断面図である。
【図４】図２のＢ部を示す拡大断面図である。
【図５】本発明の第１実施形態に係るアダプタの管状挿入をチューブに圧入した状態を示す断面図である。
【図６】本発明の第２実施形態に係るアダプタの要部を示す断面図である。
【図７】本発明の第２実施形態に係るアダプタの管状挿入をチューブに圧入した状態を示す断面図である。
【図８】本発明の第３実施形態に係るアダプタの接続状態を示す断面図である。
【図９】従来例に係るアダプタを分解して示す断面図である。
【図１０】図９に示すアダプタの接続過程を示す部分断面図である。
【図１１】図９に示すアダプタの接続状態を示す部分断面図である。
【図１２】図１１のＡ部を示す拡大断面図である。
【符号の説明】
【００５１】
１０        雌型アダプタ
１０ａ      延出部
１０ｂ      メスルアー部
１０ｃ      螺子
１０ｄ      翼部
２０        雄型アダプタ
２１        オスルアー付きアダプタ部品
２１ａ      フランジ
２１ｂ      左側に位置する管状挿入部
２１ｃ      右側に位置する管状挿入部
２２        フリーロック部品
２２ａ      螺子
２２ｂ      ストッパ部
２２ｃ      孔
２２ｄ      内周面
２２ｅ      角部
３０        雄型アダプタ
３１        オスルアー付きアダプタ部品
３２        管状挿入部
３３        拡径部
３４        外周面
４０        雄型アダプタ
４１        オスルアー付きアダプタ部品
４２        管状挿入部
４３        拡径部
４４        外周面
４５        外周面
５０        雄型アダプタ
５１        オスルアー付きアダプタ部品
１００        チューブ
２００        チューブ
Ｄ        段差
【図１】
0004844184.tif 000002
【図２】
0004844184.tif 000003
【図３】
0004844184.tif 000004
【図４】
0004844184.tif 000005
【図５】
0004844184.tif 000006
【図６】
0004844184.tif 000007
【図７】
0004844184.tif 000008
【図８】
0004844184.tif 000009
【図９】
0004844184.tif 000010
【図１０】
0004844184.tif 000011
【図１１】
0004844184.tif 000012
【図１２】
0004844184.tif 000013